(57)【要約】【課題】ＵＲＬ入力や電子メール作成を容易にするだけでなく、電子メールをテレビに表示するのではなくリモコンに表示することにより個人情報の保護も行うことができるテレビ受信装置およびリモコン送受信装置を提供することを目的とする。【解決手段】インターネットアクセス及び電子メール送受信、表示手段を持ったテレビ１００とそのリモコン装置１において、インターネットアクセスの為のＵＲＬ入力、ホームページを閲覧する為の操作及び電子メールの作成をリモコンのタッチパネル４を使った手書き入力にて行なう手段とそれをテレビに転送する送信手段８、テレビにて受信した電子メールをリモコンに転送する送信手段１０５とそれをリモコンのタッチパネル上に表示する表示回路６を備える。【選択図】  図１
2004153375.tif 000002
【特許請求の範囲】
【請求項１】
インターネットアクセス及び電子メール送受信手段を持ったテレビ受信装置であって、インターネットホームページまたは電子メールの表示手段と、電子メールのテレビ画面への表示可否設定手段と、受信した電子メールをリモコンに転送する送信手段と、リモコンで作成された文字列の受信手段を備えたテレビ受信装置。
【請求項２】
通常のテレビリモコンボタンを表面に、タッチパネルとタッチパネル用ペンによる情報入力及び表示手段を裏面に搭載したリモコン送受信装置であって、請求項１記載のテレビ受信装置から送信された電子メールを受信しタッチパネルに表示する手段と、請求項１記載のインターネットホームページ表示画面においてマウスポインタ移動及びページスクロールをリモコンのタッチパネルにて行なう手段と、手書き入力文字の英数字及び平仮名を認識しテキストに変換する手段と日本語の漢字変換手段を有し作成した文字列を請求項１記載のテレビ受信装置に送信するリモコン送受信装置。
【請求項３】
請求項２記載のリモコン送受信装置において、通常のテレビリモコン使用時はタッチパネルの保護を行ない、タッチパネル使用時はテレビリモコンボタンを誤って押さないよう保護することを特徴とするカバーを有するリモコン送受信装置。
【請求項４】
請求項１記載の電子メール受信において、テレビ画面とは別に電子メール受信を知らせる表示装置を有し、テレビがスタンバイ状態の場合にも電子メールの受信を知ることができ、テレビをオンすることなく受信した電子メールをリモコン送受信装置のタッチパネルで閲覧できることを特徴とするリモコン送受信装置。
【発明の詳細な説明】
【０００１】
【発明の属する技術分野】
本発明は、インターネットアクセス可能なテレビなどに代表される電気、電子機器及びそれを制御するリモコン送受信装置に関する。
【０００２】
【従来の技術】
近年、デジタル技術の発展に伴いテレビ放送受信だけでなく、インターネットへのアクセスが可能なテレビ放送受信機が登場しているが、一方でそのインターネットアクセスや電子メール作成が従来のテレビリモコンでは容易ではない。これを解決する手法として、（特許文献１）ではリモコン装置にタッチパネルによる手書き入力手段を設け文字入力の簡略化を図っている。また、電子メールの作成、閲覧においては（特許文献２）のように従来、テレビ画面上で行なっている。
【０００３】
【特許文献１】
特開平１０−３２２７８０号公報
【特許文献２】
特開平９−２３７２３４号公報
【０００４】
【発明が解決しようとする課題】
しかしながら上記の従来の構成では、（特許文献１）では文字入力方法の改善に特化しており、インターネットアクセスにて最も使用するページ送りや希望のハイパーリンクへのポインタ移動については十分とは言えないという問題点を有していた。
【０００５】
また電子メールの作成、閲覧においては（特許文献２）のようにテレビ画面上で行なっており他人も覗き込むことができるため、その個人情報の保護は全く考慮されていないという問題点を有していた。
【０００６】
本発明は、インターネットアクセス可能なテレビにおいて、文字入力やホームページの閲覧及び電子メール作成、閲覧を容易にすることと共に個人情報の保護実現することを目的とする。
【０００７】
【課題を解決するための手段】
上記目的を達成するために、本発明のテレビ受信装置およびリモコン送受信装置は、通常のテレビリモコンの裏側にタッチパネル入力、表示装置を設けることで複雑な入力文字を手書き入力する手段やホームページの閲覧を容易にする手段を設け、テレビ及びリモコンに送受信手段を設けることで、テレビにて受信した電子メールをリモコンに表示する手段を設ける構成を有している。
【０００８】
【発明の実施の形態】
本発明の請求項１記載の発明は、インターネットアクセス及び電子メール送受信手段を持ったテレビ受信装置であって、インターネットホームページまたは電子メールの表示手段と、電子メールのテレビ画面への表示可否設定手段と、受信した電子メールをリモコンに転送する送信手段と、リモコンで作成された文字列の受信手段を備えたテレビ受信装置であることを特徴としたものである。
【０００９】
本発明の請求項２記載の発明は、通常のテレビリモコンボタンを表面に、タッチパネルとタッチパネル用ペンによる情報入力及び表示手段を裏面に搭載したリモコン送受信装置であって、請求項１記載のテレビ受信装置から送信された電子メールを受信しタッチパネルに表示する手段と、請求項１記載のインターネットホームページ表示画面においてマウスポインタ移動及びページスクロールをリモコンのタッチパネルにて行なう手段と、手書き入力文字の英数字及び平仮名を認識しテキストに変換する手段と日本語の漢字変換手段を有し作成した文字列を請求項１記載のテレビ受信装置に送信するリモコン送受信装置であることを特徴としたものである。
【００１０】
本発明の請求項３記載の発明は、請求項２記載のリモコン送受信装置において、通常のテレビリモコン使用時はタッチパネルの保護を行ない、タッチパネル使用時はテレビリモコンボタンを誤って押さないよう保護することを特徴とするカバーを有するリモコン送受信装置であることを特徴としたものである。
【００１１】
本発明の請求項４記載の発明は、請求項１記載の電子メール受信において、テレビ画面とは別に電子メール受信を知らせる表示装置を有し、テレビがスタンバイ状態の場合にも電子メールの受信を知ることができ、テレビをオンすることなく受信した電子メールをリモコン送受信装置のタッチパネルで閲覧できることを特徴とするリモコン送受信装置であることを特徴としたものである。
【００１２】
以下本発明の実施の形態について、図を用いて説明する。
【００１３】
（実施の形態１）
図１において１はリモコン送受信装置であり、電源のオンオフ、選局、音量調整、あるいは記録機器の操作等を目的とした通常のテレビリモコンボタン３とタッチパネル４とタッチパネル４にて入力された文字を認識しテキストに変換する文字認識変換回路５とタッチパネルに文字を表示する表示回路６とデータ送受信用の送信回路８及び受信回路９とそれら一連の処理を統括する中央処理部２とメモリ７及びソフトウェアにて構成される。
【００１４】
図２において１００はインターネットアクセス手段を有するテレビ受信装置であり、アンテナ２００、２０１にて受信したＲＦ信号の選局、復調を行なうフロントエンド部１０１と映像、音声の復調を含めた中央処理部１０２とメモリ１０７と映像、音声出力部１０３とインターネット３００に接続するネットワークインターフェース部１０６と電子メールデータ等を保存する記録装置１０８とデータ送受信用の受信回路１０４と送信回路１０５と電子メール受信を知らせる表示装置１０９及びソフトウェアにて構成される。
【００１５】
リモコン送受信装置１は図２に示すとおり、表面は従来のテレビリモコンボタン３を備える。裏面は図３に示すとおり、タッチパネルの入力ウインドウ１０と表示ウインドウ１１とタッチパネル入力用ペン２０と図４に示すタッチパネル未使用時の保護とタッチパネル使用時のテレビリモコンボタンの誤操作防止の為のカバー２１から構成される。さらに入力ウインドウ１０は文字入力部１２と入力ウインドウ１０のモードを変更するインターネットアイコン１３とメールアイコン１４とマウスアイコン１５と送信アイコン１６にて構成される。なお定型句表示部１７とスクロールバー１８、１９は入力ウインドウ１０のモードによって表示及び手段は変わるものとする。
【００１６】
さて、インターネットにアクセスする場合、リモコン送受信装置１のタッチパネル側のインターネットアイコン１３にタッチしテレビ及びタッチパネルの入力ウインドウ１０をインターネットモードに変更する。図５のとおりテレビ画面にはマウスポインタ１１０が表示されリモコンのタッチパネルにてマウスアイコン１５にタッチすることで文字入力部１２はマウスパッドとなりそのマウスパッドをなぞった通りにテレビ画面のカーソルが移動したり、マウスパッドをたたくことでインターネットホームページ上のハイパーリンク１１１の選択やホームページ表示ソフト（以下ブラウザ）のボタン１１２を押すことができる。また、図３のタッチパネルのスクロールバー１８、１９をなぞることで簡単にホームページ画面のスクロールを行うことができる。
【００１７】
ブラウザにてインターネットのＵＲＬを入力する場合は、図６のブラウザのＵＲＬ入力部１１３にマウスポインタをセットしＵＲＬ入力状態にする。リモコンのタッチパネル４の文字入力部１２にて希望のＵＲＬを手書き入力する。手書き入力した結果は文字認識変換回路５にてテキストに変換され、表示回路６によってタッチパネルの表示ウインドウ１１に順に表示される。希望のＵＲＬが表示されたらタッチパネルの送信アイコン１６にタッチすることでリモコンの送信回路によってテレビに送信される。テレビは受信回路によってリモコンからのデータを解析しブラウザのＵＲＬ入力部に表示させ、そのＵＲＬのページへ移動する。ＵＲＬ入力の際は、使用頻度の高い定型句を定型句表示部１７に登録することによりさらにＵＲＬ入力を容易にすることができる。
【００１８】
また、頻繁にアクセスするＵＲＬはブラウザ及びリモコンに記憶させることができ、テレビ画面上に表示されるＵＲＬリストまたはリモコンのタッチパネルの表示ウインドウ１１に表示されるＵＲＬリストから所望のＵＲＬを容易に選択することが可能である。またＵＲＬがテレビ画面では見にくい場合であってもリモコンのタッチパネル４にて容易に確認することができる。
【００１９】
テレビにて受信した電子メールを閲覧する場合は、まず複数のメールアカウント毎にログイン用の暗証番号とテレビ画面での閲覧を許可するか否かの設定を行なう。テレビ画面での閲覧を許可した場合はログインしたアカウントによらずそのメールを閲覧することができる。
【００２０】
次にメールを受信する場合の動作について説明する。まずリモコン送受信装置１のタッチパネル４のメールアイコン１４にタッチしメールソフトを起動し受信したいメールアカウントにてログインする。以下テレビ画面での表示を許可していないアカウントｔａｒｏの受信メールを閲覧する場合について説明する。アカウントｔａｒｏの暗証番号が受理されると図７の１１４に示すとおりテレビ画面に受信メールのタイトル及び宛先がリスト表示される。アカウントｆａｍｉｌｙはテレビ画面での閲覧を許可しているため、ログインしているアカウントｔａｒｏに関係無く１１５のとおりリスト表示される。一方、テレビ画面での閲覧を許可していないアカウントｔａｒｏ宛てのメールには例えばＰＲＩＶＡＴＥの“Ｐ”といったその識別アイコン１１６が表示され件名、差出人は表示されない。電子メールを閲覧する場合は受信メールリスト１１４から表示したいメールを選択し、テレビ画面での表示を許可しているアカウントのメールの場合はそのままテレビ画面に表示し、許可していないメールの場合はメールをテレビ画面に表示するかリモコンに転送するかを選択することができ、リモコンへの転送を選択した場合はメールリストが入力ウインドウ１０に表示されると共に、選択したメールがタッチパネルの表示ウインドウ１１に表示され個人情報の保護が可能である。
【００２１】
また、テレビがスタンバイ状態でも電子メールの受信があればそれを知らせる例えばＬＥＤといった表示装置１０９をテレビ受信装置１００に設け、リモコンのタッチパネルのメール受信アイコン１４にタッチし、メールメニュー２２の受信アイコンにタッチすることによりテレビ本体をオンすることなくメール情報をリモコンに転送しタッチパネルの表示ウインドウにて閲覧することができる。
【００２２】
電子メールを作成する場合は、図８に示すとおり、リモコンのタッチパネル入力ウインドウ１０のメールアイコン１４にタッチし、入力ウインドウ１０をメールモードにする。メールメニュー２２の新規アイコンにタッチすることにより新規メール作成モードになり、ＵＲＬの入力と同様の手法にて電子メールの手書き入力を行なうことができる。表示ウインドウ１１には入力した内容が順次反映され、入力した文章を確認することができる。このとき入力した日本語を漢字や片仮名に変換する場合は日本語変換メニュー２３の変換アイコンにタッチし、所望の文字に変換された場合は確定アイコンにタッチし文字を確定する。作成したメールはタッチパネル４の転送アイコン１６をタッチすることにより一旦テレビに転送されテレビの記憶装置１０８に保存されたのちネットワークインターフェース部１０６からインターネット３００へ送信される。この場合、テレビはスタンバイ状態でも構わない。
【００２３】
【発明の効果】
以上のように本発明は、インターネットアクセス及び電子メール送受信、表示手段を持ったテレビとそのリモコン装置において、インターネットアクセスの為のＵＲＬ入力、ホームページを閲覧する為の操作及び電子メールの作成をリモコンのタッチパネルを使った手書き入力にて行なう手段とそれをテレビに転送する送信手段、テレビにて受信した電子メールをリモコンに転送する送信手段とそれをリモコンのタッチパネル上に表示する表示回路を備えることにより、ＵＲＬ入力や電子メール作成を容易にするだけでなく、電子メールをテレビに表示するのではなくリモコンに表示することにより個人情報の保護も行うことができるという優れた効果が得られる。
【図面の簡単な説明】
【図１】本発明におけるテレビ受信装置とリモコン送受信装置のブロック図
【図２】リモコン送受信装置のテレビリモコン側の構成図
【図３】リモコン送受信装置のタッチパネル側の外構成図
【図４】リモコン送受信装置のカバーの構成図
【図５】インターネットホームページアクセス時の操作事例を示す図
【図６】インターネットＵＲＬ入力時の操作事例を示す図
【図７】電子メール受信時の操作事例を示す図
【図８】電子メール作成時の操作事例を示す図
【符号の説明】
１  リモコン送受信装置
２  中央処理部（ＣＰＵ２）
３  リモコンボタン
４  タッチパネル
５  文字認識変換回路
６  表示回路
７  メモリ
８  送信回路
９  受信回路
１０  入力ウインドウ
１１  表示ウインドウ
１２  文字入力部
１３  インターネットアイコン
１４  メールアイコン
１５  マウスアイコン
１６  送信アイコン
１７  定型句表示部
１８  スクロールバー１
１９  スクロールバー２
２０  タッチパネル用ペン
２１  リモコン保護カバー
２２  メールメニュー
２３  日本語変換メニュー
１００  テレビ受信装置
１０１  フロントエンド部（選局、復調回路）
１０２  中央処理部（ＣＰＵ１）
１０３  映像、音声出力部
１０４  受信回路
１０５  送信回路
１０６  ネットワークインターフェース部
１０７  メモリ
１０８  記録装置
１０９  表示装置
２００  アンテナ１
２０１  アンテナ２
３００  インターネット
【図１】
2004153375.tif 000003
【図２】
2004153375.tif 000004
【図３】
2004153375.tif 000005
【図４】
2004153375.tif 000006
【図５】
2004153375.tif 000007
【図６】
2004153375.tif 000008
【図７】
2004153375.tif 000009
【図８】
2004153375.tif 000010